(57)【要約】【課題】折り畳み式電子機器において、第１及び第２の筐体を開成し、その背面側を水平面上に載置した状態における操作性を向上することができるようにする。【解決手段】第１及び第２の筐体１，２を開成した状態で、第２の筐体２を水平面上に載置したとき、第１の筐体１の結合部３に近い端部の背面側と、第２の筐体２の背面側に配置された突起８とが水平面上に接触するよう構成する。【選択図】　図６
2004087791.tif 000002
【特許請求の範囲】
【請求項１】
第１の筐体と、第２の筐体と、前記第１の筐体と前記第２の筐体とを開閉自在に結合する結合部とからなる折り畳み式電子機器において、
前記第１及び第２の筐体を開成した状態で、前記第２の筐体の背面側を水平面上に載置したとき、当該水平面上に、前記第１の筐体の背面側の一部が接触するよう構成したことを特徴とする折り畳み式電子機器。
【請求項２】
前記第２の筐体の前面側に、操作部を配置する一方、
前記第１の筐体の前面側に、前記操作部によって入力されたデータを表示する表示部を配置したことを特徴とする請求項１記載の折り畳み式電子機器。
【請求項３】
前記第１の筐体の背面側に、カメラを配置する一方、
前記第２の筐体の前面側に、前記カメラによる画像の取り込み開始を指示する操作部を配置したことを特徴とする請求項１記載の折り畳み式電子機器。
【請求項４】
前記カメラは、前記結合部から離れた端部側に配置することを特徴とする請求項３記載の折り畳み式電子機器。
【発明の詳細な説明】
【０００１】
【発明の属する技術分野】
本発明は、折畳み式電子機器に関する。
【０００２】
【従来の技術】
従来より、折り畳み式電子機器としては、携帯型の電子辞書やゲーム機及びクラムシェル型の携帯電話機などがあった。このうちクラムシェル型の携帯電話機としては、図９に示すように、第１の筐体１１と、第２の筐体１２と、第１の筐体１１と第２の筐体１２とを開閉自在に結合する結合部１３とからなり、第１の筐体１１の前面側に、メインＬＣＤ１４が、背面側に、カメラユニット１５とサブＬＣＤ１６がそれぞれ配置され、第２の筐体１２の前面に、数字キーやシャッターキー等からなる操作ボタン１７が配置されたものがあり、このように構成されたクラムシェル型の携帯電話機は、第１及び第２の筐体１１，１２を開成した状態において約１６０度開くように設計されることが一般的であった。
【０００３】
又、上述のように構成されたクラムシェル型の携帯電話機においては、文字や画像の送受信を行うメール機能や、人物及び風景等を撮影する撮影機能や、地図及びバーコード等を撮影する接写機能を備えたものがあった。
【０００４】
【発明が解決しようとする課題】
ところで、上述のようなクラムシェル型の携帯電話機では、第１の筐体１１にメインＬＣＤ１４、カメラユニット１５及びサブＬＣＤ１６等を備えることから第１の筐体１１の方が第２の筐体１２よりも重くなり、第１及び第２の筐体１１，１２を開成した状態でその背面側を水平面上に載置すると、第２の筐体１２における結合部１３から離れた端部側が持ち上がるようになっていた。
【０００５】
そのため、第１及び第２の筐体１１，１２を開成し、その背面側を水平面上に載置した状態で、操作ボタン１７を操作する場合には、第２の筐体１２における結合部１３から離れた端部側を押えなくてはならず、メール機能を用いて送信する文字の入力を行う場合や、接写機能を用いて地図やバーコードを撮影する場合の操作性が悪いといった問題点があった。
【０００６】
そこで、本発明は、第１及び第２の筐体を開成し、その背面側を水平面上に載置した状態における操作性を向上することができる折り畳み式電子機器を提供することを目的とするものである。
【０００７】
【課題を解決するための手段】
上記目的を達成するために、本発明は、第１の筐体と、第２の筐体と、前記第１の筐体と前記第２の筐体とを開閉自在に結合する結合部とからなる折り畳み式電子機器において、前記第１及び第２の筐体を開成した状態で、前記第２の筐体の背面側を水平面上に載置したとき、当該水平面上に、前記第１の筐体の背面側の一部が接触するよう構成したものである。
【０００８】
又、本発明は、前記の構成に加え、前記第２の筐体の前面側に、操作部を配置する一方、前記第１の筐体の前面側に、前記操作部によって入力されたデータを表示する表示部を配置する構成としたものである。
【０００９】
又、本発明は、上述の構成に加え、前記第１の筐体の背面側に、カメラを配置する一方、前記第２の筐体の前面側に、前記カメラによる画像の取り込み開始を指示する操作部を配置する構成としたものである。
【００１０】
更に、本発明は、前記の構成に加え、前記カメラを、前記結合部から離れた端部側に配置するよう構成したものである。
【００１１】
従って、本発明によれば、第１及び第２の筐体を開成した状態で、第２の筐体の背面側を水平面上に載置したとき、当該水平面上に、第１の筐体の背面側の一部が接触するよう構成することにより、第１の筐体が第２の筐体よりも重い場合にも、第１及び第２の筐体を開成した状態でその背面側を水平面上に載置したとき、第２の筐体における結合部から離れた端部側が持ち上がらないようにすることができる。
【００１２】
【発明の実施の形態】
以下、本発明の実施の形態を図面を用いて詳細に説明する。
【００１３】
図１は本発明の折り畳み式電子機器の一実施の形態である携帯電話機の閉成状態の構成を示す背面側斜視図、図２は同携帯電話機の開成状態の構成を示す背面側斜視図、図３は同携帯電話機の開成状態の構成を示す前面側斜視図、図４は同携帯電話機の開成状態の構成を示す背面図、図５は同携帯電話機を開成状態で水平面上に載置したときの状態を示す側面図、図６は同携帯電話機を開成状態で水平面上に載置したときの状態を示す側面断面図、図７は同携帯電話機における重量配分を説明するための側面図、図８は比較例となる携帯電話機における重量配分を説明するための側面図である。
【００１４】
以下、本発明の折り畳み式電子機器の一実施の形態である携帯電話機を、図１乃至図８に基づいて説明する。
【００１５】
図１乃至図８において、１は第１の筐体、２は第２の筐体、３は第１の筐体１と第２の筐体２とを開閉自在に結合する結合部であり、第１及び第２の筐体１，２を開成した状態において約１６０度開くよう構成されている。
【００１６】
４は第１の筐体１の前面側に配置されたメインＬＣＤ、５は第１の筐体１の背面側であって結合部３から離れた端部側に配置されたカメラユニット、６は第１の筐体１の背面側に配置されたサブＬＣＤ、７は第２の筐体２の前面側に配置された数字キーやシャッタキー等からなる操作ボタン、８は第２の筐体２の背面側であって結合部３から離れた端部側に配置された突起である。
【００１７】
そして、このように構成された携帯電話機は、第１及び第２の筐体１，２を開成した状態で、第２の筐体２を水平面上に載置したとき、第１の筐体１の結合部３に近い端部の背面側と、第２の筐体２の背面側に配置された突起８とが水平面上に接触するよう構成されており、このような構成により、第１の筐体１の結合部３に近い端部の背面側に回転支点Ａが発生し、この回転支点Ａを中心に重い方に回転することになる。
【００１８】
このとき、上記のように構成された携帯電話機では、図７に示すように、第１の筐体１の質量をＭ、その重心位置と結合部３との距離をＬ１、第２の筐体２の質量をｍ、その重心位置と結合部３との距離をＬ２、回転支点Ａと結合部３との距離をＬ３としたとき、第２の筐体２を水平に保つためには回転モーメントから考慮して、
ｍ（Ｌ１＋Ｌ３）　＞　Ｍ（Ｌ２−Ｌ３）
となることが必要条件となり、ここで、仮にＬ１＝Ｌ２＝４５ｍｍ、Ｌ３＝５ｍｍとすれば
ｍ×５０　＞　Ｍ×４０
Ｍ　＜　１．２５ｍ
となり、第１の筐体１は第２の筐体２に対し２５％までは重くてよいことになる。
【００１９】
一方、従来の携帯電話機では、図８に示すように、第１の筐体１１の質量をＭ、その重心位置と結合部１３との距離をＬ１、第２の筐体１２の質量をｍ、その重心位置と結合部１３との距離をＬ２、回転支点Ｂと結合部１３との距離をＬ４としたとき、第２の筐体１２を水平に保つためには回転モーメントから考慮して、
ｍ×（Ｌ１−Ｌ４）＞Ｍ（Ｌ２＋Ｌ４）
となることが必要条件となり、ここで、仮にＬ１＝Ｌ２＝４５ｍｍ、Ｌ４＝５ｍｍとすれば、
ｍ×４０　＞　Ｍ×５０
Ｍ　＜　０．８ｍ
となり、第１の筐体１１は逆に第２の筐体１２に対し２０％以上軽くしなければ第２の筐体１２を机上で水平に保つことはできない。
【００２０】
このように、前記実施の形態によれば、第１の筐体１にメインＬＣＤ４、カメラユニット５及びサブＬＣＤ６等を配置し、第１の筐体１の重量が第２の筐体の重量よりも重くなった場合でも、第１及び第２の筐体１，２を開成した状態でその背面側を水平面上に載置したとき、第２の筐体２における結合部３から離れた端部側が持ち上がらないようにすることができるため、このような状態で、第２の筐体２における結合部３から離れた端部側を押えることなく、操作ボタン１７を容易に操作することができる。
【００２１】
そのため、メール機能を用いて送信する文字の入力を行う場合や、接写機能を用いて地図やバーコードを撮影する場合の操作性を向上することができ、特に接写機能を用いた地図撮影やバーコード撮影においては、第１及び第２の筐体１，２を開成した状態でその背面側を水平面上に載置した状態で、カメラユニット５による焦点位置が水平面上に合うよう設計することにより、手ぶれ等による撮影ミスを誘発することなく、撮影を行うことができる。
【００２２】
尚、前記実施の形態では、第２の筐体２の背面側であって結合部３から離れた端部側に２つの突起８を配置し、この２つの突起８と第１の筐体１の結合部３に近い端部の背面側とが水平面上に接触するよう構成し、操作ボタン１７押下時のガタツキを防止するようにしたが、これに限定されるものではなく、突起８を無くし、第２の筐体２の背面側全体と第１の筐体１の結合部３に近い端部の背面側とを水平面上に接触するようにしたり、又第１の筐体１の結合部３に近い端部の背面側に突起を設け、この突起と第２の筐体２側の突起８とを水平面上に接触するようにしたり、更に突起８を無くすと共に第１の筐体１の結合部３に近い端部の背面側に突起を設け、この突起と第２の筐体２の背面側全体とを水平面上に接触するようにしても良い。
【００２３】
又、突起８を３つ以上設けることで、安定性を向上されるようにしたり、突起８をゴムやシリコン等の弾性体で構成することで、傷付き防止対策を施すようにしても良い。
【００２４】
又、前記実施の形態では、折り畳み式電子機器として携帯電話機を用いて説明したが、これに限定されるものではなく、携帯型の電子辞書やゲーム機にも適用できることは言うまでもない。
【００２５】
【発明の効果】
以上のように、本発明によれば、第１の筐体が第２の筐体よりも重い場合にも、第１及び第２の筐体を開成した状態でその背面側を水平面上に載置したとき、第２の筐体における結合部から離れた端部側が持ち上がらないようにすることができるため、そのような状態における操作性を向上することができる。
【図面の簡単な説明】
【図１】本発明の折り畳み式電子機器の一実施の形態である携帯電話機の閉成状態の構成を示す背面側斜視図である。
【図２】同携帯電話機の開成状態の構成を示す背面側斜視図である。
【図３】同携帯電話機の開成状態の構成を示す前面側斜視図である。
【図４】同携帯電話機の開成状態の構成を示す背面図である。
【図５】同携帯電話機を開成状態で水平面上に載置したときの状態を示す側面図である。
【図６】同携帯電話機を開成状態で水平面上に載置したときの状態を示す側面断面図である。
【図７】同携帯電話機における重量配分を説明するための側面図である。
【図８】比較例となる携帯電話機における重量配分を説明するための側面図である。
【図９】従来例である携帯電話機の開成状態の構成を示す側面断面図である。
【符号の説明】
１　　第１の筐体
２　　第２の筐体
３　　結合部
４　　メインＬＣＤ
５　　カメラユニット
６　　サブＬＣＤ
７　　操作ボタン
８　　突起
【図１】
2004087791.tif 000003
【図２】
2004087791.tif 000004
【図３】
2004087791.tif 000005
【図４】
2004087791.tif 000006
【図５】
2004087791.tif 000007
【図６】
2004087791.tif 000008
【図７】
2004087791.tif 000009
【図８】
2004087791.tif 000010
【図９】
2004087791.tif 000011